(57)【要約】【課題】遮断弁だけでなくマイコン等の電力損失も低減して低電力化を実現したガスメータを提供する。【解決手段】スイッチング電源２は、電池１の電圧を降圧してマイコン３および遮断弁４へ供給する。また、マイコン３の処理が無くなると、マイコン３はスイッチング電源２を待機状態にして電力供給を停止させ、マイコン３自らも待機状態に移行する。【選択図】図１
2014106036.tif 000002
【特許請求の範囲】
【請求項１】
ガス供給路を遮断する遮断弁と、当該遮断弁を制御するマイクロコンピュータとを有し、電池から電源供給を受けるガスメータにおいて、
前記電池の電圧を当該電圧より低い所定電圧に変換して前記遮断弁および前記マイクロコンピュータに供給するスイッチング電源を備えることを特徴とするガスメータ。
【請求項２】
前記スイッチング電源は、外部から入力される制御信号に従って、前記遮断弁および前記マイクロコンピュータに対する電力の供給および停止を行い、
前記マイクロコンピュータは、前記スイッチング電源に前記制御信号を出力して、所定処理を行う動作モードでは前記スイッチング電源から電力を供給させ、当該所定処理を行わない待機モードでは前記スイッチング電源からの電力供給を停止させることを特徴とする請求項１記載のガスメータ。
【請求項３】
前記スイッチング電源の出力端子とフィードバック端子の間に、抵抗値の異なる複数の電圧設定抵抗と、当該電圧設定抵抗を切り替えるスイッチとを備え、
前記マイクロコンピュータは、前記動作モードにおいて行う前記所定処理の種別に応じて、前記スイッチを操作して前記フィードバック端子に接続する前記電圧設定抵抗を切り替えて前記フィードバック端子の端子電圧を変更し、
前記スイッチング電源は、前記電池の電圧を、前記フィードバック端子の端子電圧に応じた電圧値に変換することを特徴とする請求項１または請求項２記載のガスメータ。
【請求項４】
前記スイッチング電源と前記マイクロコンピュータの間に接続され、前記スイッチング電源が供給する電力で充電するコンデンサを備え、
前記マイクロコンピュータは、前記動作モードでは前記スイッチング電源から電力供給を受け、前記スイッチング電源が電力供給を停止する前記待機モードでは前記コンデンサから電力供給を受けることを特徴とする請求項２または請求項３記載のガスメータ。
【請求項５】
前記マイクロコンピュータに供給される電圧を監視する電圧監視回路を備え、
前記マイクロコンピュータは、前記待機モードにおいて前記コンデンサから供給される電圧が下限閾値に低下したことが前記電圧監視回路により検出されると、前記動作モードに移行して前記コンデンサを充電し、当該動作モードにおいて前記スイッチング電源から供給される前記電圧が上限閾値に達したことが前記電圧監視回路により検出されると、前記待機モードに移行することを特徴とする請求項４記載のガスメータ。
【請求項６】
タイマ回路を備え、
前記マイクロコンピュータは、前記待機モードにおいて前記タイマ回路の計時時間が前記コンデンサの放電に要する所定時間に達すると前記動作モードに移行して前記コンデンサを充電し、当該動作モードにおいて前記タイマ回路の計時時間が前記コンデンサの充電に要する所定時間に達すると前記待機モードに移行することを特徴とする請求項４記載のガスメータ。
【請求項７】
前記電池から前記スイッチング電源への電源供給を検出すると前記制御信号を出力して前記スイッチング電源を起動する起動回路を備えることを特徴とする請求項１から請求項６のうちのいずれか１項記載のガスメータ。
【発明の詳細な説明】
【技術分野】
【０００１】
この発明は、電池から電源供給を受けて動作するガスメータに関するものである。
【背景技術】
【０００２】
従来のガスメータは、ガス供給路を遮断する遮断弁、およびこの遮断弁を駆動制御するマイクロコンピュータ（以下、マイコン）に対して、電池から直接電源供給する構成であった（例えば、特許文献１参照）。この構成はコスト的に有利であるが、電池の経年変化による電圧低下および温度変化に応じた電圧変動といった電池特性を考慮する必要がある。
【０００３】
ガスメータの遮断弁として使用されるアクチュエータは如何なる場合も動作する必要がある。そのため、上述した電池特性を考慮して、例えば３Ｖ電池を使用する場合にアクチュエータの動作電圧を２Ｖ以下に設定して、電池の初期電圧付近で大きな動作マージンを持たせることが多い。しかしながら、電池とアクチュエータを直結しているため、アクチュエータの動作マージン自体が電力損失を発生する。例えば、電池電圧３Ｖ、アクチュエータの動作電圧２Ｖの場合、電力損失Ｐｌｏｓｓ＝（３Ｖ−２Ｖ）×（アクチュエータの消費電流）となる。
【０００４】
そこで、昇圧回路を用いて電池電圧を昇圧して遮断弁のソレノイドに供給することにより、電力損失を低減する構成が提案されている（例えば、特許文献２参照）。
【先行技術文献】
【特許文献】
【０００５】
【特許文献１】特開平６−３６１６５号公報
【特許文献２】特開平１０−３０６８８４号公報
【発明の概要】
【発明が解決しようとする課題】
【０００６】
従来のガスメータは以上のように構成されているので、遮断弁に関わる電力損失を低減することはできるが、マイコンに関わる電力損失を低減することができないという課題があった。そのため、低電圧動作可能なマイコンを用いる場合には、遮断弁と同様に電池の初期電圧付近で電力損失が大きくなってしまう。
【０００７】
この発明は、上記のような課題を解決するためになされたもので、遮断弁だけでなくマイコン等の電力損失も低減して低電力化を実現することを目的とする。
【課題を解決するための手段】
【０００８】
この発明に係るガスメータは、ガス供給路を遮断する遮断弁と、当該遮断弁を制御するマイクロコンピュータとを有し、電池から電源供給を受けるガスメータであって、電池の電圧を当該電圧より低い所定電圧に変換して遮断弁およびマイクロコンピュータに供給するスイッチング電源を備えるものである。
【発明の効果】
【０００９】
この発明によれば、遮断弁およびマイクロコンピュータへの供給電圧をスイッチング電源により降圧することで、低電力化を実現することができる。また、スイッチング電源による定電圧化により、電池の電圧低下を考慮せずに遮断弁およびマイクロコンピュータを動作させることができる。
【図面の簡単な説明】
【００１０】
【図１】この発明の実施の形態１に係るガスメータの構成を示す回路図である。
【図２】実施の形態１に係るガスメータの通常動作モードから待機電力モードへ移行するときのフローチャートである。
【図３】実施の形態１に係るガスメータの待機電力モードから通常動作モードへ移行するとき（電圧低下）のフローチャートである。
【図４】実施の形態１に係るガスメータの待機電力モードから通常動作モードへ移行するとき（イベント発生）のフローチャートである。
【図５】この発明の実施の形態２に係るガスメータの構成を示す回路図である。
【図６】実施の形態２に係るガスメータにおいて電圧設定抵抗Ｒ０〜Ｒ３の設定例を示す図である。
【図７】図６に示す設定例における動作モードとスイッチング電源の出力電圧の関係を示す図である。
【図８】この発明の実施の形態３に係るガスメータの構成を示す回路図である。
【発明を実施するための形態】
【００１１】
実施の形態１．
図１は、この発明の実施の形態１に係るガスメータの構成を示す回路図である。図１において、ガスメータは電源に電池１を使用し、電池１の電圧をスイッチング電源２で降圧してマイコン３および遮断弁４へ供給する構成である。
【００１２】
スイッチング電源２として降圧コンバータタイプのスイッチング電源を使用し、入力端子Ｖｉｎに入力される電池１の電圧をマイコン３および遮断弁４の動作電圧に降圧して出力端子Ｖｏｕｔから出力する。出力端子Ｖｏｕｔとマイコン３および遮断弁４との間に平滑用コイルＬおよびバイパスコンデンサＣが接続され、出力電圧が平滑化されてマイコン３および遮断弁４へ供給される。また、スイッチング電源２の出力端子Ｖｏｕｔは、平滑用コイルＬを介して電圧設定抵抗Ｒ０，Ｒ１に接続され、この電圧設定抵抗Ｒ０，Ｒ１の接続点にスイッチング電源２のフィードバック端子ＦＢが接続されている。スイッチング電源２は、電圧設定抵抗Ｒ０，Ｒ１により設定されるフィードバック端子ＦＢの端子電圧に基づいて入力電圧を降圧し、出力電圧を安定供給する。さらに、このスイッチング電源２は、外部から制御信号入力端子ＥＮＢへの制御信号入力により動作制御が可能である。
【００１３】
マイコン３および遮断弁４は、スイッチング電源２から電源供給を受けて動作する。このマイコン３は、例えば、ガス漏れ検出器からガス漏れ検出信号が入力された場合に遮断弁４を駆動してガス供給路を遮断する。これ以外にも、フローメータが計測するガス供給路のガス流量を取得したり、取得した計測値を外部へ通信したりすることも可能である。また、マイコン３は通常動作時より小さい待機電流で動作する待機機能（所謂スリープモード）を有し、遮断弁４の駆動およびガス流量の外部出力といった割り込みイベントが発生すると通常動作に復帰する。
【００１４】
また、マイコン３は、電源端子Ｖｃｃの端子電圧を監視する電圧監視回路３ａを備え、電圧監視回路３ａの検出結果に応じて制御信号出力端子Ｐｏｕｔからスイッチング電源２の動作を制御する制御信号（例えば、パルス）を出力する。マイコン３の制御信号出力端子Ｐｏｕｔと起動回路５の制御信号出力端子はＯＲゲート６の入力側に接続され、いずれかの制御信号がスイッチング電源２の制御信号入力端子ＥＮＢに入力されるとスイッチング電源２が動作して電源供給を行い、制御信号の入力がなければ動作を停止して待機状態になる。
【００１５】
なお、ガスメータの電源投入直後は、マイコン３への電源供給がないため制御信号を出力できず、よってスイッチング電源２が動作しない。そのため、電源投入直後にスイッチング電源２を起動する専用の起動回路５が必要になる。起動回路５は、電池１の電圧の立ち上がりを検知すると、スイッチング電源２が電源供給を行うまでの期間、制御信号（例えば、ワンショットパルス）を出力する。起動回路５の出力する制御信号が、ＯＲゲート６を介してスイッチング電源２の制御信号入力端子ＥＮＢに入力されると、スイッチング電源２からマイコン３へ電源供給が開始されマイコン３が制御信号を出力可能となる。従って、これ以降ガスメータの製品寿命まで起動回路５は不要であり停止状態となる。
【００１６】
例えば３Ｖの電池１を使用し、降圧コンバータタイプのスイッチング電源２を用いて電池電圧を３Ｖから２Ｖに降圧して電源供給することにより、ガスメータの運用開始から、マイコン３および遮断弁４を低電圧（例えば、２Ｖ）で動作させることができるため、消費電力を低減することが可能である。また、スイッチング電源２はフィードバック制御により定電圧を供給することができるので、時間経過および温度変化に伴い電圧が低下する電池特性を考慮せずに、マイコン３および遮断弁４の動作電圧を設定できる。
【００１７】
次に、図２〜図４のフローチャートを用いて、マイコン３によるスイッチング電源２の制御方法を説明する。
図２は、ガスメータが通常動作モードから待機電力モードへ移行するときのフローチャートである。ここでは、マイコン３がフローメータの計測したガス流量を外部出力するイベントを周期的に実行しているものと仮定する。このイベントを実行する通常動作モードでは、マイコン３が制御信号出力端子Ｐｏｕｔから制御信号を出力し、スイッチング電源２が電池１の電圧を降圧してマイコン３および遮断弁４へ出力する。
【００１８】
マイコン３はイベントの全処理を実行終了すると（ステップＳＴ１“ＮＯ”）、制御信号の出力を停止する（ステップＳＴ２）。スイッチング電源２は、制御信号入力端子ＥＮＢへの制御信号の入力停止を検知して、待機状態に移行し、電源供給を停止する。続いて、マイコン３も待機状態に移行し（ステップＳＴ３）、ガスメータ全体が待機電力モードになる。
【００１９】
待機電力モードにおいて、スイッチング電源２の待機電流は電池１から供給され、マイコン３の待機電流は、通常動作モード中に充電されたバイパスコンデンサＣから供給される。スイッチング電源２の待機電流もマイコン３の待機電流も通常動作モード時より小さいため、待機電力モード中は消費電力の低減が可能である。
【００２０】
図３は、ガスメータが待機電力モードから通常動作モードへ復帰するときのフローチャートである。待機電力モードにおいて、バイパスコンデンサＣからマイコン３に供給される電源電圧（電源端子Ｖｃｃの端子電圧）が正常な待機状態を維持できる所定の電圧値（下限閾値）より低くなると、電圧監視回路３ａがこの電圧低下を検出して（ステップＳＴ１１“ＹＥＳ”）、まずマイコン３が待機状態から復帰する（ステップＳＴ１２）。続いて、マイコン３から制御信号を出力してスイッチング電源２を待機状態から復帰させ（ステップＳＴ１３）、ガスメータ全体が通常動作モードになる（ステップＳＴ１４）。
【００２１】
スイッチング電源２が復帰して電源供給を再開すると、バイパスコンデンサＣへの充電が始まる。そして、電源端子Ｖｃｃの端子電圧が動作電圧（上限閾値）に達すると、電圧監視回路３ａがこの電圧回復を検出して（ステップＳＴ１５“ＹＥＳ”）、スイッチング電源２を待機状態に移行させる（ステップＳＴ１６）。続いて、マイコン３も待機状態に移行し（ステップＳＴ１７）、ガスメータ全体が再び待機電力モードになる（ステップＳＴ１８）。このように、イベントの割り込みがない期間は、待機電力モードでバイパスコンデンサＣが放電し、電圧が低下すると通常動作モードに移行してバイパスコンデンサＣを充電する繰返しになる。
【００２２】
図４は、ガスメータが待機電力モードから通常動作モードへ復帰するときのフローチャートである。待機電力モードにおいて、フローメータが計測するガス流量を外部出力するイベントの実行周期になると（ステップＳＴ２１）、まずマイコン３が待機状態から復帰し（ステップＳＴ２２）、制御信号を出力してスイッチング電源２を復帰させる（ステップＳＴ２３）。マイコン３は、通常動作モード移行後にガス流量を外部出力する処理を実行する。処理を全て実行し終えると、図２で説明したように待機電力モードに移行する。
【００２３】
なお、フローメータが計測するガス流量を外部へ出力するイベントを例に説明したが、イベントはこれに限定されるものではない。例えば、待機状態のマイコン３がガス漏れ検知器によるガス漏れ検知信号の入力を検知すると（ステップＳＴ２１“ＹＥＳ”）、通常動作モードに移行し（ステップＳＴ２２，ＳＴ２３）、遮断弁４を駆動してガス供給路を遮断する。
【００２４】
以上より、実施の形態１によれば、ガスメータは、電池１の電圧を当該電圧より低い所定電圧に変換して遮断弁４およびマイコン３に供給するスイッチング電源２を備えるように構成した。このため、遮断弁４およびマイコン３への供給電圧をスイッチング電源２により降圧することで、低電力化を実現することができる。また、スイッチング電源２による定電圧化により、電池１の電圧低下を考慮せずに遮断弁４およびマイコン３を動作させることができる。
【００２５】
また、実施の形態１によれば、スイッチング電源２は、外部から入力される制御信号に従って、遮断弁４およびマイコン３に対する電力の供給および停止（即ち、待機）を行い、マイコン３は、スイッチング電源２に制御信号を出力して、所定処理を行う通常動作モードではスイッチング電源２から電力を供給させ、当該所定処理を行わない待機電力モードではスイッチング電源２からの電力供給を停止させるように構成した。このため、通常動作モードより消費電力の小さい待機電力モードを実施することにより、更なる消費電力の低減が可能である。
【００２６】
また、実施の形態１によれば、ガスメータは、スイッチング電源２とマイコン３の間に接続され、スイッチング電源２が供給する電力で充電するバイパスコンデンサＣを備え、マイコン３は、通常動作モードではスイッチング電源２から電力供給を受け、スイッチング電源２が電力供給を停止する待機電力モードではバイパスコンデンサＣから電力供給を受けるように構成した。このため、マイコン３が待機状態のとき、スイッチング電源２の動作を停止でき、更なる消費電力の低減が可能である。
【００２７】
また、実施の形態１によれば、ガスメータは、マイコン３に供給される電圧を監視する電圧監視回路３ａを備え、マイコン３は、待機電力モードにおいてバイパスコンデンサＣから供給される電圧が下限閾値に低下したことが電圧監視回路３ａにより検出されると、通常動作モードに移行してバイパスコンデンサＣを充電し、当該通常動作モードにおいてスイッチング電源２から供給される電圧が上限閾値に達したことが電圧監視回路３ａにより検出されると、待機電力モードに移行するように構成した。このため、マイコン３の待機状態を維持するために、スイッチング電源２を最小限動作させればよいため、更なる消費電力の低減が可能である。
【００２８】
また、実施の形態１によれば、ガスメータは、電池１からスイッチング電源２への電源供給を検出すると制御信号を出力してスイッチング電源２を起動する起動回路５を備えるように構成した。このため、マイコン３からスイッチング電源２を起動することができない電源投入直後に、マイコン３に代わってスイッチング電源２を起動することができる。
【００２９】
実施の形態２．
遮断弁４の動作電圧よりマイコン３の動作電圧を低く設定した場合においては、ガス流量計測値に基づく診断などのマイコン３の内部で完結する動作と、遮断弁４などの外部回路を駆動する動作とではスイッチング電源２の出力電圧を同じレベルに固定する必要はない。即ち、動作モードに応じて電源電圧を変更することができる。そこで、本実施の形態２では、動作モードの種別に応じて、スイッチング電源２の出力電圧を切り替える制御を行う。
【００３０】
図５は、本実施の形態２に係るガスメータの構成を示す回路図である。図５において図１と同一または相当の部分については同一の符号を付し説明を省略する。
スイッチング電源２の出力端子Ｖｏｕｔとフィードバック端子ＦＢを接続するフィードバックラインに異なる抵抗値の電圧設定抵抗Ｒ１〜Ｒ３を配置し、これらをスイッチＳＷ１〜ＳＷ３で切り替える。スイッチＳＷ１〜ＳＷ３のオン／オフ動作は、マイコン３がスイッチ制御信号出力端子Ｐｏｕｔ１〜Ｐｏｕｔ３からスイッチ制御信号（例えば、パルス）を出力／停止することにより制御する。
【００３１】
図６に電圧設定抵抗Ｒ０〜Ｒ３の設定例を示し、図７にその設定例における動作モードと出力電圧の関係を示す。出力電圧の目標値となるフィードバック端子ＦＢの端子電圧は、電圧設定抵抗Ｒ０と、これに直列接続する電圧設定抵抗（Ｒ１〜Ｒ３のいずれか）との抵抗比によって決まる。従って、スイッチＳＷ１をオンして電圧設定抵抗Ｒ０，Ｒ１を直列に接続した場合、スイッチング電源２がフィードバック端子ＦＢの端子電圧を目標にフィードバック制御して１．５Ｖの出力電圧を生成する。同様に、スイッチＳＷ２をオンして電圧設定抵抗Ｒ０，Ｒ２を直列に接続した場合に出力電圧１．８Ｖ、スイッチＳＷ３をオンして電圧設定抵抗Ｒ０，Ｒ３を直列に接続した場合に出力電圧２．４Ｖを生成する。
【００３２】
例えば、マイコン３が内部演算を行う動作モード１を実行する場合、電源電圧はマイコン３の最低動作電圧でよいため、電圧設定抵抗Ｒ１に切り替えてスイッチング電源２の出力電圧を１．５Ｖに設定する。一方、遮断弁４を駆動する動作モード３の場合、電源電圧を遮断弁４の動作電圧に設定する必要があるため、電圧設定抵抗Ｒ２に切り替えてスイッチング電源２の出力電圧を１．８Ｖに変更する。このように、動作モードに応じてきめ細かく電源電圧を切り替えることで、消費電力をさらに低減できるようになる。
【００３３】
なお、図示例では、３個の電圧設定抵抗Ｒ１〜Ｒ３を使用して電源電圧を３段階に切り替える構成にしたが、これに限定されるものではなく、ガスメータの仕様に合わせて電源電圧を切り替える構成にすればよい。
【００３４】
以上より、実施の形態２によれば、ガスメータは、スイッチング電源２の出力端子Ｖｏｕｔとフィードバック端子ＦＢの間に、抵抗値の異なる複数の電圧設定抵抗Ｒ１〜Ｒ３と、当該電圧設定抵抗Ｒ１〜Ｒ３を切り替えるスイッチＳＷ１〜ＳＷ３とを備え、マイコン３は、通常動作モードにおいて行う所定処理の種別に応じて、スイッチＳＷ１〜ＳＷ３を操作してフィードバック端子ＦＢに接続する電圧設定抵抗Ｒ１〜Ｒ３を切り替えてフィードバック端子ＦＢの端子電圧を変更し、スイッチング電源２は、電池１の電圧をフィードバック端子ＦＢの端子電圧に応じた電圧値に変換する構成にした。このため、ガスメータの動作モードに応じて、スイッチング電源２の出力電圧をきめ細かく制御でき、消費電力をさらに低減することができる。
【００３５】
実施の形態３．
図８は、本実施の形態３に係るガスメータの構成を示す回路図である。図８において図１と同一または相当の部分については同一の符号を付し説明を省略する。
上記実施の形態１，２では、電圧監視回路３ａが電源端子Ｖｃｃの端子電圧を監視して電圧低下および電圧回復を検出するようにしたが、本実施の形態３では、バイパスコンデンサＣから電源供給される電源端子Ｖｃｃの端子電圧が正常な待機状態を維持できる所定の電圧値（下限閾値）より低くなる時間（バイパスコンデンサＣの放電時間）、およびバイパスコンデンサＣが充電され電源端子Ｖｃｃの端子電圧が動作電圧に達する時間（バイパスコンデンサＣの充電時間）をタイマ回路３ｂで計測する。放電時間および充電時間はバイパスコンデンサＣの容量等に応じて決定し、予めタイマ回路３ｂに設定しておく。
【００３６】
先に説明した図３において、通常動作モードに移行した時点（ステップＳＴ１４）からタイマ回路３ｂが計時を開始し、所定の充電時間が経過すると、バイパスコンデンサＣの充電が終了すると共にスイッチング電源２の電源電圧も回復したとみなして（ステップＳＴ１５“ＹＥＳ”）、待機モードに移行する（ステップＳＴ１６〜ＳＴ１８）。また、待機モードに移行した時点（ステップＳＴ１８）からタイマ回路３ｂが計時を開始し、所定の放電時間が経過すると、バイパスコンデンサＣが放電して電源端子Ｖｃｃの端子電圧が待機状態を維持できる電圧値より低くなったとみなして（ステップＳＴ１１“ＹＥＳ”）、通常動作モードに移行する（ステップＳＴ１２〜ＳＴ１４）。
【００３７】
コンパレータおよびＡ／Ｄコンバータ等から構成される電圧監視回路３ａの消費電流に比べて、タイマ回路３ｂの消費電流は小さいため、タイマ回路３ｂを使用した場合には消費電力をさらに低減できるようになる。
また、マイコン３で電圧監視を行わずに電圧回復に集中させることで、電圧負荷が一定になるので、電圧回復に要する時間の変動が抑制され、電圧回復時間をより正確に見積もることが可能である。
【００３８】
以上より、実施の形態３によれば、ガスメータはタイマ回路３ｂを備え、マイコン３は、待機電力モードにおいてタイマ回路３ｂの計時時間がバイパスコンデンサＣの放電に要する所定時間に達すると通常動作モードに移行してバイパスコンデンサＣを充電し、当該通常動作モードにおいてタイマ回路３ｂの計時時間がバイパスコンデンサＣの充電に要する所定時間に達すると待機電力モードに移行するように構成した。このため、上記実施の形態２の電圧監視回路３ａを使用する場合に比べて、消費電力を低減することができる。
【００３９】
なお、本発明の実施形態を図面を参照して詳述してきたが、具体的な構成は、上述した実施の形態の構成に限られるものではなく、本発明の要旨を逸脱しない範囲の設計の変更などがあっても本発明に含まれることは言うまでもない。
【００４０】
例えば、図示例ではマイコン３が電圧監視回路３ａまたはタイマ回路３ｂを備える構成にしたが、これに限定されるものではなく、マイコン３外に電圧監視回路３ａまたはタイマ回路３ｂを設けて、電圧低下および電圧回復をマイコン３へ通知する構成にしてもよい。
【００４１】
また、上記説明では、降圧コンバータタイプのスイッチング電源２を使用する構成にしたが、これに限定されるものではなく、昇降圧コンバータタイプを使用することも可能である。昇降圧コンバータは、例えば電池電圧が２Ｖ以上では降圧コンバータ、２Ｖ以下では昇圧コンバータとして動作して、出力電圧２Ｖを安定的に供給する。このため、降圧コンバータと同様に電池特性を考慮せずにマイコン３および遮断弁４を動作させることができるだけでなく、電池寿命ぎりぎりまで電池１を利用することが可能である。
【００４２】
さらに、本発明を採用して消費電力を低減することにより、余剰になった電力で無線通信機器を動作させ、ガス流量計測値を無線通信により外部出力するといったことも可能になる。
【符号の説明】
【００４３】
１  電池
２  スイッチング電源
３  マイコン
３ａ  電圧監視回路
３ｂ  タイマ回路
４  遮断弁
５  起動回路
６  ＯＲゲート
Ｃ  バイパスコンデンサ
Ｌ  平滑用コイル
Ｒ０〜Ｒ３  電圧設定抵抗
ＳＷ１〜３  スイッチ
【図１】
2014106036.tif 000003
【図２】
2014106036.tif 000004
【図３】
2014106036.tif 000005
【図４】
2014106036.tif 000006
【図５】
2014106036.tif 000007
【図６】
2014106036.tif 000008
【図７】
2014106036.tif 000009
【図８】
2014106036.tif 000010